(57)【要約】【課題】空気中の浮遊物に荷電させて凝集させることなく、捕集することができる空気中浮遊物捕集材、これを用いる空気浄化部材及び空気浄化装置を提供する。【解決手段】空気中浮遊物捕集材は、（Ｋ、Ｈ）２Ｔｉ２Ｏ５の組成を備える中実長繊維状ナノ酸化チタンからなる多孔質体であり、空気中の浮遊物の捕集に用いられる。空気浄化部材１は、枠体２と、支持体３と、支持体３に担持された多孔質体４とからなる。空気浄化装置１１は、一方の端部を吸気口１３とし他方の端部を還気口１４とするダクト１２と、ダクト１２内に配置される空気浄化部材１５（１）とを備える。【選択図】  図３
2020069438.tif 000002
【特許請求の範囲】
【請求項１】
（Ｋ、Ｈ）２Ｔｉ２Ｏ５の組成を備える中実長繊維状ナノ酸化チタンからなる多孔質体であり、空気中の浮遊物の捕集に用いられることを特徴とする空気中浮遊物捕集材。
【請求項２】
請求項１記載の空気中浮遊物捕集材において、前記中実長繊維状ナノ酸化チタンは、２〜８０ｎｍの範囲の直径と１００ｎｍ以上の長さとを備え、相互に絡み合うことにより５〜５０μｍの範囲の平均粒子径を備える不定形多孔質粒子を形成していることを特徴とする空気中浮遊物捕集材。
【請求項３】
請求項１又は請求項２記載の空気中浮遊物捕集材において、前記多孔質体は１００〜１４００ｍ２／ｇの範囲の比表面積と、７０〜９７％の範囲の空隙率とを備えることを特徴とする空気中浮遊物捕集材。
【請求項４】
枠体と、該枠体内に位置し複数の中空筒状体からなる支持体と、該支持体に担持された多孔質体とからなり、
該多孔質体は（Ｋ、Ｈ）２Ｔｉ２Ｏ５の組成を備える中実長繊維状ナノ酸化チタンからなることを特徴とする空気浄化部材。
【請求項５】
一方の端部を吸気口とし他方の端部を還気口とするダクトと、該ダクト内に配置される空気浄化部材とを備え、
該空気浄化部材は、枠体と、該枠体内に位置し複数の中空筒状体からなる支持体と、該支持体に担持され、（Ｋ、Ｈ）２Ｔｉ２Ｏ５の組成を備える中実長繊維状ナノ酸化チタンからなる多孔質体とからなることを特徴とする空気浄化装置。
【請求項６】
請求項５記載の空気浄化装置において、前記空気浄化部材の前記吸気口側又は前記還気口側に紫外線を照射する紫外線照射手段を備えることを特徴とする空気浄化装置。
【発明の詳細な説明】
【技術分野】
【０００１】
本発明は、空気中浮遊物捕集材、これを用いる空気浄化部材及び空気浄化装置に関する。
【背景技術】
【０００２】
従来、空気中の浮遊物に荷電させて凝集させることによりこれを捕集して空気を浄化する空気浄化装置が知られている（例えば、特許文献１参照）。
【０００３】
特許文献１記載の装置は、電極針に対向して接地電極が配置された不平等電界発生装置と、不平等電界発生装置を通過した空気をろ過する超高性能フィルターとを備えている。そして、特許文献１記載の装置によれば、電極針と接地電極との間に２．５〜５．０ｋＶの電圧を印加してコロナ放電を発生させ、不平等電界発生装置を通過する空気中のエアロゾル粒子を凝集させることにより超高性能フィルターで捕捉し、空気を浄化できるとされている。
【先行技術文献】
【特許文献】
【０００４】
【特許文献１】特許第３０６６８３３号公報
【発明の概要】
【発明が解決しようとする課題】
【０００５】
しかしながら、特許文献１記載の装置では、空気中の浮遊物に荷電させて凝集させるために２．５〜５．０ｋＶの電圧を印加する必要があるという不都合がある。
【０００６】
本発明は、かかる不都合を解消して、空気中の浮遊物に荷電させて凝集させることなく、該浮遊物を捕集することができる空気中浮遊物捕集材を提供することを目的とする。
【０００７】
また、本発明は、前記空気中浮遊物捕集材を用いる空気浄化部材及び空気浄化装置を提供することを目的とする。
【課題を解決するための手段】
【０００８】
本発明者らは、空気中の浮遊物を荷電させて凝集させることなく捕集できる材料について検討した結果、（Ｋ、Ｈ）２Ｔｉ２Ｏ５の組成を備える中実長繊維状ナノ酸化チタンからなる多孔質体により該浮遊物を捕集できることを見出し、本発明を完成した。
【０００９】
前記中実長繊維状ナノ酸化チタンは、光触媒として使用できることが特許第４３９２２３１号公報に記載されており、除湿剤として用いることが特許第３９４４２３３号公報に記載されている。しかし、前記中実長繊維状ナノ酸化チタンからなる多孔質体により、空気中の浮遊物を荷電させて凝集させることなく捕集できることは知られていない。
【００１０】
そこで、前記目的を達成するために、本発明の空気中浮遊物捕集材は、（Ｋ、Ｈ）２Ｔｉ２Ｏ５の組成を備える中実長繊維状ナノ酸化チタンからなる多孔質体であり、空気中の浮遊物の捕集に用いられることを特徴とする。
【００１１】
本発明の空気中浮遊物捕集材は、前記中実長繊維状ナノ酸化チタンが相互に絡み合って形成された多孔質体からなるので、空気中の浮遊物の捕集に適した気孔を備えており、該浮遊物を荷電させて凝集させることなく捕集することができる。前記空気中の浮遊物としは、菌類の胞子、細菌、ウィルス等の微生物、ＰＭ２．５と呼ばれる微小粒子状物質等を挙げることができる。
【００１２】
本発明の空気中浮遊物捕集材において、前記中実長繊維状ナノ酸化チタンは２〜８０ｎｍの範囲の直径と１００ｎｍ以上の長さとを備え、相互に絡み合うことにより５〜５０μｍの範囲の平均粒子径を備える不定形多孔質粒子を形成していることが好ましい。この結果、前記中実長繊維状ナノ酸化チタンは、空気中の浮遊物の捕集に適した気孔を備える多孔質体を形成することができる。
【００１３】
また、本発明の空気中浮遊物捕集材において、前記多孔質体は、１００〜１４００ｍ２／ｇの範囲の比表面積と、７０〜９７％の範囲の空隙率とを備えることが好ましい。前記空隙率は、下式により求めることができる。
【００１４】
空隙率（％）＝（真密度−嵩密度）×１００／真密度
前記多孔質体は、前記範囲の比表面積と空隙率とを備えることにより、空気中の浮遊物を荷電させて凝集させることなく捕集することができる。
【００１５】
本発明の空気浄化部材は、枠体と、該枠体内に位置し複数の中空筒状体からなる支持体と、該支持体に担持された前記多孔質体とからなることを特徴とする。
【００１６】
本発明の空気浄化部材によれば、前記多孔質体からなる空気中浮遊物捕集材をユニット化することができ、空気浄化装置等の部品として用いることができる。
【００１７】
本発明の空気浄化装置は、一方の端部を吸気口とし他方の端部を還気口とするダクトと、該ダクト内に配置される前記空気浄化部材とを備えることを特徴とする。
【００１８】
本発明の空気浄化装置は、前記吸気口から導入された空気を前記空気浄化部材に通すことにより、導入された空気中の微生物、微小粒子状物質等の浮遊物を該空気浄化部材に捕集させることができ、浄化された空気を前記還気口から放出することができる。
【００１９】
また、本発明の空気浄化装置は、前記空気浄化部材の前記吸気口側又は前記還気口側に紫外線を照射する紫外線照射手段を備えることが好ましい。本発明の空気浄化装置は、前記紫外線照射手段を備えることにより、該紫外線照射手段から前記空気浄化部材に紫外線を照射して該空気浄化部材に捕集された浮遊物の分解や前記微生物の滅菌を行うことができる。
【００２０】
前記紫外線照射手段は、前記空気浄化部材の前記吸気口側と前記還気口側とのどちらか一方に設けられていてもよく、両方に設けられていてもよい。
【図面の簡単な説明】
【００２１】
【図１】Ａは本発明の空気中浮遊物捕集材に用いる中実長繊維状ナノ酸化チタンの１０００００倍走査型電子顕微鏡写真、Ｂは該中実長繊維状ナノ酸化チタンの１５００００倍透過型電子顕微鏡写真。
【図２】本発明の空気浄化部材の構成を示す斜視図。
【図３】本発明の空気浄化部材の構成を示す平面図。
【発明を実施するための形態】
【００２２】
次に、添付の図面を参照しながら本発明の実施の形態についてさらに詳しく説明する。
【００２３】
本実施形態の空気中浮遊物捕集材は、（Ｋ、Ｈ）２Ｔｉ２Ｏ５の組成を備える中実長繊維状ナノ酸化チタンからなる多孔質体であり、空気中の浮遊物の捕集に用いられる。ここで、前記中実長繊維状ナノ酸化チタンは、図１Ａの走査型電子顕微鏡写真から明らかなように、２〜８０ｎｍの範囲の直径と１００ｎｍ以上の範囲の長さとを備えている。また、前記中実長繊維状ナノ酸化チタンは、図１Ａの走査型電子顕微鏡写真から明らかなように、中実である。
【００２４】
前記中実長繊維状ナノ酸化チタンは、例えば、酸化チタンを主成分とする材料をアルカリ性水溶液中で加熱処理することにより得ることができる。前記酸化チタンを主成分とする材料は、粉末状でもよく、含水酸化チタン若しくは水和酸化チタン又はこれらを含むスラリーでもよい。
【００２５】
前記アルカリ性水溶液としては、水酸化ナトリウム又は水酸化カリウムの水溶液を用いることができ、その濃度は５〜２５モル／ｋｇの範囲であることが好ましい。また、処理温度は７０〜１５０℃の範囲とすることが好ましく、処理時間は１０〜３０時間の範囲とすることが好ましい。
【００２６】
このように処理することにより、２〜８０ｎｍの範囲の直径と１００ｎｍ以上の長さとを備える前記中実長繊維状ナノ酸化チタンが相互に絡み合うことにより５〜５０μｍの範囲の平均粒子径を備える不定形多孔質粒子を得ることができる。また、前記処理により得られる前記中実長繊維状ナノ酸化チタンは、（Ｋ、Ｈ）２Ｔｉ２Ｏ５の組成を備えることが特許第４３９２２３１号公報に記載されている。
【００２７】
前記中実長繊維状ナノ酸化チタンが絡み合った不定形多孔質粒子は、１００〜１４００ｍ２／ｇの範囲の比表面積と、７０〜９７％の範囲の空隙率とを備える多孔質体を形成することができるので、該多孔質体を本実施形態の空気中浮遊物捕集材とすることができる。
【００２８】
本実施形態の空気中浮遊物捕集材によれば、空気中の浮遊物として、菌類の胞子、細菌、ウィルス等の微生物、ＰＭ２．５と呼ばれる微小粒子状物質等を荷電させて凝集させることなく捕集することができる。前記菌類の胞子は５〜１２μｍ程度、前記細菌は０．５〜５μｍ程度、前記ウィルスは５０〜数百ｎｍ程度、前記ＰＭ２．５は２．５μｍ以下の大きさを備えている。
【００２９】
次に、図２を参照して、本実施形態の空気浄化部材１の構成について説明する。
【００３０】
空気浄化部材１は、枠体２と、枠体２の内側に取り付けられた支持体３と、支持体３に担持された多孔質体４とからなる。前記支持体３は、紙又は繊維の成形体からなる複数の中空筒状体からなり、該中空筒状体はハニカム状、コルゲート状、メッシュ状等の形状とすることができる。前記多孔質体４としては、本実施形態の空気中浮遊物捕集材を用いることができる。前記多孔質体４は前記支持体３に担持されていればよく、前記中空筒状体に完全に隙間無く充填されていなくてもよい。
【００３１】
尚、空気浄化部材１は、枠体２の内側に、多孔質体４を含むフィルター状体が配設された構成であってもよい。
【００３２】
次に、図３を参照して、本実施形態の空気浄化装置１１の構成について説明する。
【００３３】
空気浄化装置１１は角型ダクト１２の一方の側面に吸気口１３を備え、吸気口１３に対向する側面に還気口１４を備える一方、吸気口１３と還気口１４との間に空気浄化部材１５を備え、空気浄化部材１５により角型ダクト１２を吸気口１３側の空間と還気口１４側の空間とに分けている。空気浄化部材１５としては、図２に示す空気浄化部材１を用いることができる。角型ダクト１２の吸気口１３側の空間には吸気口１３から空気を吸引する送風機１６が配設されている。
【００３４】
また、空気浄化装置１１は角型ダクト１２の吸気口１３側の空間と還気口１４側の空間との両方の空気浄化部材１５に対向する側面に、空気浄化部材１５に紫外線を照射する紫外線照射手段としての紫外線発光ダイオード１７を備えている。
【００３５】
次に、本実施形態の空気浄化装置１１の構成について説明する。
【００３６】
空気浄化装置１１は、例えば、空気浄化を必要とする室内に配置され、該室内の空気を送風機１６により吸気口１３から吸引して空気浄化部材１５（１）に導入する。吸気口１３から空気浄化部材１５（１）に導入された空気中には前記微生物や微小粒子状物質等が浮遊しているが、空気浄化部材１５（１）は前記中実長繊維状ナノ酸化チタンからなる多孔質体４を備えているので、該微生物や微小粒子状物質等は多孔質体４に捕集される。この結果、浄化された空気が空気浄化部材１５（１）を透過し、還気口１４から前記室内に放出（還気）される。
【００３７】
このとき、空気浄化装置１１では、紫外線発光ダイオード１７から空気浄化部材１５（１）に紫外線を照射することにより、多孔質体４に捕集された浮遊物の分解や前記微生物の滅菌を行うことができる。紫外線発光ダイオード１７は、波長３６５ｎｍの紫外線を照射することにより、酸化チタンの光触媒効果を得られる一方、波長２６０ｎｍの殺菌灯に近い効果を得ることができる。
【００３８】
空気浄化装置１１では、前記微生物の滅菌のために、紫外線発光ダイオード１７に代えて紫外線ライト、水銀灯、ハロゲン灯等を用いてもよく、オゾン、次亜塩素酸、二酸化塩素等のガスを作用させてもよい。
【００３９】
また、空気浄化装置１１では、紫外線等の光線を空気浄化部材１５（１）に照射すると、酸化チタンの自浄作用により、空気中の浮遊物の捕集、浄化、滅菌の作用を持続させることができる。
【００４０】
次に、本発明の実施例を示す。
【実施例】
【００４１】
本実施例では、まず、容器に単粒子径２０ｎｍの酸化チタン粉末０．２１ｇを取り、１７モル／ｋｇの濃度の水酸化カリウム水溶液を投入して撹拌後、容器を密封して乾燥機に収容し、１１０℃の温度で２０時間静置した。２０時間経過後に容器を取り出し、希塩酸で余剰のアルカリ分を中和処理した。次に、遠心分離機を用いて固形分を分離し、得られた固形分をイオン交換水で洗浄した後、凍結乾燥機で乾燥して、（Ｋ、Ｈ）２Ｔｉ２Ｏ５の組成を備える中実長繊維状ナノ酸化チタンを得た。
【００４２】
前記中実長繊維状ナノ酸化チタンは、５〜２０ｎｍ程度の直径に対して、長さが数百ｎｍ、あるいは、数ｍｍに及び、相互に絡み合うことにより平均粒子径２３μｍの不定形多孔質粒子を形成しており、特許第３９４４２３３号公報に記載されている乾燥重量の３０質量％以上の水分吸着能力を備える特徴を有し、温度２５℃での水蒸気吸着量の測定において、その乾燥質量に対して相対湿度７２％以上で３０質量％を超え、相対湿度９５％では８５質量％となる水蒸気吸着量を備えていた。本実施例では、前記不定形多孔質粒子を用い、比表面積３７６ｍ２／ｇ、空隙率は、９１．２％の多孔質体を得た。
【００４３】
次に、本実施例で得られた前記中実長繊維状ナノ酸化チタンからなる多孔質体を用いて、図２に示す空気浄化部材１を形成し、空気浄化部材１を空気浄化部材１５として、図３に示す空気浄化装置１１を形成した。本実施例の空気浄化装置１１では、波長３６５ｎｍの紫外線を照射する紫外線発光ダイオード１７を空気浄化部材１５の表面から５００ｍｍ離して配置した。
【００４４】
次に、紫外線発光ダイオード１７から紫外線を照射しなかった場合（実施例１）と、紫外線を照射した場合（実施例２）とのそれぞれについて、空気浄化装置１１に５ｍ3／分の風量で１２０分間通風し、その間、吸気口１３及び還気口１４付近の空気をサンプリングして、通過前と通過後の空気中の浮遊物としての微粒子と微生物の量とを比較した。
【００４５】
微粒子量は、ＳＰＭ（浮遊粒子状物質）として、ＫＡＮＯＭＡＸ社製粉じん計を用い、光散乱法により測定した。また、微生物量は、シャープ株式会社製微生物センサを用い、蛍光検出法により測定した。微生物量の単位ｖ／秒は、真菌や細菌等を区別しない不特定多数の微生物の蛍光の総量であり、０．１ｖ／秒は真菌換算で約２０００個／ｍ３、細菌換算で約５０００個／ｍ３に相当する。結果を表１に示す。
【００４６】
【表１】
2020069438.tif 000003
【００４７】
表１から、本実施例の空気浄化装置１１によれば、空気中の浮遊物を荷電させて凝集させることなく捕集して空気を浄化することができることが明らかであり、空気浄化部材１５に紫外線を照射することにより浮遊物の分解や微生物の滅菌についてさらに優れた効果を得ることができることが明らかである。
【符号の説明】
【００４８】
１，１５…空気浄化部材、  ２…枠体、  ３…支持体、  ４…多孔質体、  １１…空気浄化装置、  １２…ダクト、  １３…吸気口、  １４…還気口、  １７…紫外線照射手段。
【図１】
2020069438.tif 000004
【図２】
2020069438.tif 000005
【図３】
2020069438.tif 000006
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
（Ｋ、Ｈ）２Ｔｉ２Ｏ５の組成を備え、２〜８０ｎｍの範囲の直径と１００ｎｍ以上の長さとを備える中実長繊維状ナノ酸化チタンが相互に絡み合うことにより形成された、５〜５０μｍの範囲の平均粒子径を備える不定形多孔質粒子が、紙又は繊維の成形体からなる複数の中空筒状体からなる支持体に、該中空筒状体に完全に隙間無く充填されることなく担持されて、空気中の５０ｎｍ〜１２μｍの大きさの浮遊物の捕集に用いられることを特徴とする空気中浮遊物捕集材。
【請求項２】
請求項１記載の空気中浮遊物捕集材において、前記不定形多孔質粒子は１００〜１４００ｍ２／ｇの範囲の比表面積と、７０〜９７％の範囲の空隙率とを備えることを特徴とする空気中浮遊物捕集材。
【請求項３】
枠体と、該枠体内に位置し紙又は繊維の成形体からなり複数の中空筒状体からなる支持体と、該中空筒状体に完全に隙間無く充填されることなく担持された不定形多孔質粒子とからなり、
該不定形多孔質粒子は（Ｋ、Ｈ）２Ｔｉ２Ｏ５の組成を備える中実長繊維状ナノ酸化チタンからなることを特徴とする空気浄化部材。
【請求項４】
一方の端部を吸気口とし他方の端部を還気口とするダクトと、該ダクト内に配置される空気浄化部材とを備え、
該空気浄化部材は、枠体と、該枠体内に位置し紙又は繊維の成形体からなり複数の中空筒状体からなる支持体と、該中空筒状体に完全に隙間無く充填されることなく担持され、（Ｋ、Ｈ）２Ｔｉ２Ｏ５の組成を備える中実長繊維状ナノ酸化チタンからなる不定形多孔質粒子とからなることを特徴とする空気浄化装置。
【請求項５】
請求項４記載の空気浄化装置において、前記空気浄化部材の前記吸気口側又は前記還気口側に紫外線を照射する紫外線照射手段を備えることを特徴とする空気浄化装置。
【手続補正２】
【補正対象書類名】明細書
【補正対象項目名】００１０
【補正方法】変更
【補正の内容】
【００１０】
そこで、前記目的を達成するために、本発明の空気中浮遊物捕集材は、（Ｋ、Ｈ）２Ｔｉ２Ｏ５の組成を備え、２〜８０ｎｍの範囲の直径と１００ｎｍ以上の長さとを備える中実長繊維状ナノ酸化チタンが相互に絡み合うことにより形成された、５〜５０μｍの範囲の平均粒子径を備える不定形多孔質粒子が、紙又は繊維の成形体からなる複数の中空筒状体からなる支持体に、該中空筒状体に完全に隙間無く充填されることなく担持されて、空気中の５０ｎｍ〜１２μｍの大きさの浮遊物を捕集に用いられることを特徴とする。
【手続補正３】
【補正対象書類名】明細書
【補正対象項目名】００１１
【補正方法】変更
【補正の内容】
【００１１】
本発明の空気中浮遊物捕集材は、前記中実長繊維状ナノ酸化チタンが相互に絡み合って形成された不定形多孔質粒子からなるので、空気中の浮遊物の捕集に適した気孔を備えており、該浮遊物を荷電させて凝集させることなく捕集することができる。前記空気中の浮遊物としは、菌類の胞子、細菌、ウィルス等の微生物、ＰＭ２．５と呼ばれる微小粒子状物質等を挙げることができる。
【手続補正４】
【補正対象書類名】明細書
【補正対象項目名】００１２
【補正方法】変更
【補正の内容】
【００１２】
本発明の空気中浮遊物捕集材において、前記中実長繊維状ナノ酸化チタンは２〜８０ｎｍの範囲の直径と１００ｎｍ以上の長さとを備え、相互に絡み合うことにより５〜５０μｍの範囲の平均粒子径を備える不定形多孔質粒子を形成している。この結果、前記中実長繊維状ナノ酸化チタンは、空気中の浮遊物の捕集に適した気孔を備える多孔質体を形成することができる。
【手続補正５】
【補正対象書類名】明細書
【補正対象項目名】００１３
【補正方法】変更
【補正の内容】
【００１３】
また、本発明の空気中浮遊物捕集材において、前記不定形多孔質粒子は、１００〜１４００ｍ２／ｇの範囲の比表面積と、７０〜９７％の範囲の空隙率とを備えることが好ましい。前記空隙率は、下式により求めることができる。
【手続補正６】
【補正対象書類名】明細書
【補正対象項目名】００１５
【補正方法】変更
【補正の内容】
【００１５】
本発明の空気浄化部材は、枠体と、該枠体内に位置し紙又は繊維の成形体からなり複数の中空筒状体からなる支持体と、該中空筒状体に完全に隙間無く充填されることなく担持された不定形多孔質粒子とからなり、該不定形多孔質粒子は（Ｋ、Ｈ）２Ｔｉ２Ｏ５の組成を備える中実長繊維状ナノ酸化チタンからなることを特徴とする。
【手続補正７】
【補正対象書類名】明細書
【補正対象項目名】００１６
【補正方法】変更
【補正の内容】
【００１６】
本発明の空気浄化部材によれば、前記不定形多孔質粒子からなる空気中浮遊物捕集材をユニット化することができ、空気浄化装置等の部品として用いることができる。
【手続補正８】
【補正対象書類名】明細書
【補正対象項目名】００１７
【補正方法】変更
【補正の内容】
【００１７】
本発明の空気浄化装置は、一方の端部を吸気口とし他方の端部を還気口とするダクトと、該ダクト内に配置される空気浄化部材とを備え、該空気浄化部材は、枠体と、該枠体内に位置し紙又は繊維の成形体からなり複数の中空筒状体からなる支持体と、該中空筒状体に完全に隙間無く充填されることなく担持され、（Ｋ、Ｈ）２Ｔｉ２Ｏ５の組成を備える中実長繊維状ナノ酸化チタンからなる不定形多孔質粒子とからなることを特徴とする。
【手続補正９】
【補正対象書類名】明細書
【補正対象項目名】００２３
【補正方法】変更
【補正の内容】
【００２３】
本実施形態の空気中浮遊物捕集材は、（Ｋ、Ｈ）２Ｔｉ２Ｏ５の組成を備える中実長繊維状ナノ酸化チタンからなる不定形多孔質粒子であり、空気中の浮遊物の捕集に用いられる。ここで、前記中実長繊維状ナノ酸化チタンは、図１Ａの走査型電子顕微鏡写真から明らかなように、２〜８０ｎｍの範囲の直径と１００ｎｍ以上の範囲の長さとを備えている。また、前記中実長繊維状ナノ酸化チタンは、図１Ａの走査型電子顕微鏡写真から明らかなように、中実である。
【手続補正１０】
【補正対象書類名】明細書
【補正対象項目名】００３０
【補正方法】変更
【補正の内容】
【００３０】
空気浄化部材１は、枠体２と、枠体２の内側に取り付けられた支持体３と、支持体３に担持された不定形多孔質粒子４とからなる。前記支持体３は、紙又は繊維の成形体からなる複数の中空筒状体からなり、該中空筒状体はハニカム状、コルゲート状、メッシュ状等の形状とすることができる。前記不定形多孔質粒子４としては、本実施形態の空気中浮遊物捕集材を用いることができる。前記不定形多孔質粒子４は前記支持体３に担持されていればよく、前記中空筒状体に完全に隙間無く充填されていなくてもよい。
【手続補正１１】
【補正対象書類名】明細書
【補正対象項目名】００３１
【補正方法】削除
【補正の内容】
【手続補正１２】
【補正対象書類名】明細書
【補正対象項目名】００３６
【補正方法】変更
【補正の内容】
【００３６】
空気浄化装置１１は、例えば、空気浄化を必要とする室内に配置され、該室内の空気を送風機１６により吸気口１３から吸引して空気浄化部材１５（１）に導入する。吸気口１３から空気浄化部材１５（１）に導入された空気中には前記微生物や微小粒子状物質等が浮遊しているが、空気浄化部材１５（１）は前記中実長繊維状ナノ酸化チタンからなる不定形多孔質粒子４を備えているので、該微生物や微小粒子状物質等は不定形多孔質粒子４に捕集される。この結果、浄化された空気が空気浄化部材１５（１）を透過し、還気口１４から前記室内に放出（還気）される。
【手続補正１３】
【補正対象書類名】明細書
【補正対象項目名】００４２
【補正方法】変更
【補正の内容】
【００４２】
前記中実長繊維状ナノ酸化チタンは、５〜２０ｎｍ程度の直径に対して、長さが数百ｎｍ、あるいは、数ｍｍに及び、相互に絡み合うことにより平均粒子径２３μｍの不定形多孔質粒子を形成しており、特許第３９４４２３３号公報に記載されている乾燥重量の３０質量％以上の水分吸着能力を備える特徴を有し、温度２５℃での水蒸気吸着量の測定において、その乾燥質量に対して相対湿度７２％以上で３０質量％を超え、相対湿度９５％では８５質量％となる水蒸気吸着量を備えていた。本実施例では、前記不定形多孔質粒子を用い、比表面積３７６ｍ２／ｇ、空隙率は、９１．２％の不定形多孔質粒子を得た。
【手続補正１４】
【補正対象書類名】明細書
【補正対象項目名】００４３
【補正方法】変更
【補正の内容】
【００４３】
次に、本実施例で得られた前記中実長繊維状ナノ酸化チタンからなる不定形多孔質粒子を用いて、図２に示す空気浄化部材１を形成し、空気浄化部材１を空気浄化部材１５として、図３に示す空気浄化装置１１を形成した。本実施例の空気浄化装置１１では、波長３６５ｎｍの紫外線を照射する紫外線発光ダイオード１７を空気浄化部材１５の表面から５００ｍｍ離して配置した。
【手続補正１５】
【補正対象書類名】明細書
【補正対象項目名】００４８
【補正方法】変更
【補正の内容】
【００４８】
１，１５…空気浄化部材、  ２…枠体、  ３…支持体、  ４…不定形多孔質粒子、  １１…空気浄化装置、  １２…ダクト、  １３…吸気口、  １４…還気口、  １７…紫外線照射手段。